(57)【要約】      （修正有）【課題】ペットを追慕し、哀悼し、追悼するための用具であり、ペットの遺骨を収納する函状本体と草花を植栽するプランターとメモリアルプレート等でデザインした上置き蓋からなる、ペットメモリアルプランターを提供する。【解決手段】函状本体１はペットの遺骨収納容器６、土、砂、砂利、副葬品を選択的に収納する空間５を設けたものであり、プランター２は植栽用の土もしくは鉢植えを収納する空間１０を設けたものであり、上置き蓋は平面状若しくは立体状に設けた函状本体１の装飾蓋であって、函状本体１上にプランター２若しくは上置き蓋を取付け取外し自在に載置して備えたペットメモリアルプランター。【選択図】図７
0003193921.tif 000002
【実用新案登録請求の範囲】
【請求項１】
ペットの遺骨収納容器、土壌、砂、砂利、副葬品を選択的に収納する函状本体とプランターと上置き蓋からなり、函状本体はペットの遺骨収納容器、土、砂、砂利、副葬品を選択的に収納する空間を設けたものであり、プランターは植栽用の土もしくは鉢植えを収納する空間を設けたものであり、上置き蓋は平面状若しくは立体状に設けた函状本体の装飾蓋であって、前記函状本体上に前記プランター若しくは前記上置き蓋を取付け取外し自在に載置して備えたことを特徴とする、ペットメモリアルプランター。
【請求項２】
前記請求項１の考案において、函状本体およびプランターは、方形、長方形、多角形、円筒形、楕円筒形で、内部空間を上面開口に設けたものである、請求項１のペットメモリアルプランター。
【請求項３】
前記請求項１の考案において、函状本体、フラワーポット、上置き蓋の素材は、ＦＲＰ（ガラス繊維強化プラスチック）、ＧＲＣ、セラミック、プラスチック、木材、天然石、人工大理石、若しくは金属等任意である、請求項１のペットメモリアルプランター。
【請求項４】
前記請求項１の考案において、函状本体、フラワーポット、上置き蓋は適宜の色彩、絵柄、模様、レリーフ等でデザインし、若しくは、周面に適宜のプレート（金属、プラスチック、タイル）、シール等を貼付けたものである、請求項１のペットメモリアルプランター。
【考案の詳細な説明】
【技術分野】
【０００１】本考案は、深く愛しんできたペット、主として犬、猫の死亡に際して、ペットを追慕し、哀悼し、追悼するための用具であり、ペットの遺骨を収納する函状本体と草花を植栽するプランターとメモリアルプレート等でデザインした上置き蓋からなる、ペットメモリアルプランターを提供するものである。
【背景技術】
【０００２】家族、子供、孫等と同様いつも身近にいて愛しみ暮らしてきたペットの死に遭遇することは、避け難いこととはいえ、深い悲しみや、喪失感にとらわれるものである。
そこで、近時は、飼い主等の前記の想いを少しでも慰め癒すと共に、ペットに対する追慕・哀悼・追悼の想いを表すことを目的として、人と同じように葬儀を行い、お墓をつくり、あるいは、在りし日のペットを偲ぶことが出来るモニュメント仕様の位牌、写真、記念品等がいろいろと提供されている。【０００３】そのなかで、火葬にしたペットのお骨の取り扱いがなかなか難しく、普通はペット用仏具として提供されている骨壷のような容器に入れ、その容器を別の装飾的な容器に入れて室内に置くとか、庭先や木の根元などに埋めるとか、あるいは郊外の山中や海に埋めたり散骨したりするとか、いろいろと行われているが、現在の住宅事情、特にマンションや狭小住宅では庭もないため、本来の土に還す供養は困難であるなど、今一つ有効な追悼手段が提供されていない課題があった。
【先行技術文献】
【特許文献】
【０００４】
【特許文献１】特開２０１２−１１５６６３号公報
【特許文献２】特願２００２−２２４１７８号公報
【登録実用新案文献１】
実登第３１８２７１１号公報
【登録実用新案文献２】
実登第３１５６６８４号公報
【考案の概要】
【考案が解決しようとする課題】
【０００５】そこで、本考案は、上記のような課題を有効に解決する手段として、ペットのお骨を函状本体に納めると共に、人の葬祭における花壇（はなだん）のように草花を植え花で飾ることが出来るプランター、若しくは種々のモニュメント的なデザインを施した上置き蓋棟で構成した、ペットメモリアルプランターを提供して課題を解決せんとするものであり、該ペットメモリアルプランターの素材、デザイン、色彩等を選んで、イクステリヤとして庭先などの屋外に設置するほか、インテリヤとして屋内でも使用可能としたものである。
【課題を解決するための手段】
【０００６】請求項１の考案は、ペットの遺骨収納容器、土壌、砂、砂利、副葬品を選択的に収納する函状本体とプランターと上置き蓋からなり、函状本体はペットの遺骨収納容器、土、砂、砂利、副葬品を選択的に収納する空間を設けたものであり、プランターは植栽用の土もしくは鉢植えを収納する空間を設けたものであり、上置き蓋は平面状若しくは立体状に設けた函状本体の装飾蓋であって、前記函状本体上に前記プランター若しくは前記上置き蓋を取付け取外し自在に載置して備えたことを特徴とする、ペットメモリアルプランターによって課題を解決したものである。【０００７】請求項２の考案は、前記請求項１の考案において、函状本体およびプランターは、方形、長方形、多角形、円筒形、楕円筒形で、内部空間を上面開口に設けたものである、請求項１のペットメモリアルプランターによって課題を解決したものである。【０００８】請求項３の考案は、前記請求項１の考案において、函状本体、フラワーポット、上置き蓋の素材は、ＦＲＰ（ガラス繊維強化プラスチック）、ＧＲＣ、セラミック、プラスチック、木材、天然石、人工大理石、若しくは金属等任意である、請求項１のペットメモリアルプランターによって課題を解決したものである。【０００９】請求項４の考案は、前記請求項１の考案において、函状本体、フラワーポット、上置き蓋は適宜の色彩、絵柄、模様、レリーフ等でデザインし、若しくは、周面に適宜のプレート（金属、プラスチック、タイル）、シール等を貼付けたものである、請求項１のペットメモリアルプランターによって課題を解決したものである。
【考案の効果】
【００１０】ペットのお骨を納めると共に、人の葬祭における花壇（はなだん）のように草花を植え花で飾ることが出来るプランター、若しくは種々のモニュメント的なデザインを施した上置き蓋で構成したペットメモリアルプランターを提供して課題を解決せんとするものであり、該ペットメモリアルプランターの素材、デザイン、色彩等を選んで、イクステリヤとして庭先などの屋外に設置するほか、インテリヤとして屋内でも使用可能とした優れた効果がある。【００１１】近時、ペット主として犬、猫のお骨の処置について、自然に還る、土に還る、土に戻す等、所謂自然葬を考えることが普及しつつあることから、遺骨収納容器例えば骨壷として、函状本体内に入れた土壌中おいて、経年で溶解・崩壊する紙製、プラスチック製その他の素材を使用することによって、経年後に、土として、庭先、山野、海中などに戻すことができる効果がある。【００１２】函状本体の中には、遺骨収納容器例えば骨壷を納め、土壌中に埋葬するほか、土壌に換えて綺麗な砂、砂利等を入れ、或は生前のペットに関連した種々の品を納めて、極めて多様な使用目的に対応できる利点があり、
また、排水兼通気孔を設けることによって、土壌、砂、砂利等の排水を良くして腐敗を防ぎ、或は収納品の換気を良くすることができる効果がある。【００１３】プランターの空間内には、植栽用の土壌を入れて種々の草花を植えることができる他、草花の鉢植え（植木鉢）をそのまま収納することもできる利点があり、また、排水兼通気孔は土壌、砂、砂利等の排水を良くして腐敗を防ぐことができる効果がある。【００１４】函状本体、プランター及び上置き蓋は、外形、色彩、模様等を自由にデザインし、特に、取外し交換自在な上置き蓋は、ペットの写真、シルエット絵、レリーフ等をあしらったプレートを張付けるなどして、ペットの追悼に相応しい特徴あるデザインのペットメモリアルプランターを提供することができる。
【図面の簡単な説明】
【００１５】
【図１】実施例１の正面図である。
【図２】実施例１の背面図である。
【図３】実施例１の平面図である。
【図４】実施例１の底面図である。
【図５】実施例１の右側面図である。
【図６】図１のＸ−Ｘ線断面矢視図である。
【図７】実施例１の分解斜視図である。
【図８】実施例２の正面図である。
【図９】実施例２の平面図である。
【図１０】実施例２の右側面図である。
【図１１】図８のＹ−Ｙ線断面矢視図である。
【図１２】実施例２の分解斜視図である。
【図１３】実施例３の分解斜視図である。
【考案を実施するための形態】
【００１６】函状本体１はペットの遺骨収納容器６、土、砂、砂利、副葬品を選択的に収納する空間５を設けたものであり、プランター２は植栽用の土もしくは鉢植えを収納する空間１０を設けたものであり、上置き蓋３は平面状若しくは立体状に設けた函状本体１の装飾蓋であって、前記函状本体１上に前記プランター２若しくは前記上置き蓋３を取付け取外し自在に載置してペットメモリアルプランターＡを備えて実現した。
【実施例１】
【００１７】図１は本考案の実施例１の正面図、図２は背面図、図３は平面図、図４は底面図、図５は右側面図、図６は図１のＸ−Ｘ線断面矢視図、図７は実施例１の分解斜視図である。【００１８】符号、Ａは実施例１のペットメモリアルプランター、１は函状本体、２はプランター、４は排水兼通気孔（函状本体１）、５は空間（函状本体１）、６は遺骨収納容器例えば骨壷、７はピン、８はピン孔（函状本体１、）９は排水兼通気孔（プランター２）、１０は空間（プランター２）、１１はピン孔（プランター２）、１２は花等の植栽、１３はプレートである。【００１９】本考案は、上記のように、函状本体はペットの遺骨収納容器、土、砂、砂利、副葬品の全部もしくは一部を収納する空間を設けたものであり、プランターは植栽用の土もしくはフラワーポットを収納する空間を設けたものであって、函状本体にプランター若しくは上置き蓋を取付け取外し自在に載置して設けたペットメモリアルプランターであって、
実施例１は、方形上明きの函状本体１の底部に排水兼通気孔４をあけ、空間５内に、土、砂、砂利等を入れると共に、その中にペットの遺骨収納容器として例えば骨壷６を埋設し、必要に応じて、プランター２若しくは上置き蓋３を連結するピン７のピン孔８をあけると共に、同じく方形上明きのプランター２の底部に排水兼通気孔９をあけ、空間１０内に、植栽用の土を入れて草花を植え、もしくは鉢植えをそのまま収納するようにし、必要に応じて、プランター２を連結するピン７のピン孔１１をあけて備え、前記函状本体１の上に前記プランター２若しくは上置き蓋３の内のプランター２を載置して、前記ピン孔８、１０にピン７を挿通して、両者１、２を取付け取外し自在に一体化して設けた、ペットメモリアルプランターＡである。【００２０】なお、近時、ペット主として犬、猫のお骨の処置について、自然に還る、土に還る、土に戻す等、所謂自然葬を考えることが普及しつつあることから、遺骨収納容器（例えば骨壷）として、例えば、函状本体内に入れた土壌中おいて、経年で溶解・崩壊する紙製、プラスチック製その他の素材を使用し、経年後に、土として、庭先、山野、海中などに戻すように設ける。【００２１】函状本体の中には、遺骨収納容器例えば骨壷を納め、土壌中に埋葬するほか、土壌に換えて綺麗な砂、砂利等を入れ、或は生前のペットに関連した種々の品を納める。
また、排水兼通気孔４を設けることによって、土壌、砂、砂利等の排水を良くして腐敗を防ぎ、或は収納品の換気を良くする。【００２２】プランターの空間内には、植栽用の土壌を入れて種々の草花１２を植え、若しくは、草花の鉢植えをそのまま収納するようにし、また、排水兼通気孔は土壌、砂、砂利等の排水を良くして腐敗を防ぐ。【００２３】函状本体、プランターは、外形、色彩、模様等を自由にデザインし、ペットの写真、シルエット絵、レリーフ等をあしらったプレートを張付けるなどして、ペットの追悼に相応しい特徴あるペットメモリアルプランターを提供する。
【実施例２】
【００２４】図８は実施例２の正面図、図９は平面図、図１０は右側面図、図１１は図８のＹ−Ｙ線断面矢視図、図１２は実施例２の分解斜視図である。
符号、Ｂは実施例２のペットメモリアルプランター、３は上置き蓋、１３はプレートであり、他の符号は実施例１と同じである。【００２５】実施例２は、方形上明きの函状本体１の底面に排水兼通気孔４をあけ、空間５内に、土、砂、砂利等を入れると共に、その中にペットの遺骨収納容器６として例えば骨壷を埋設し、上置き蓋３は傾斜した上面の立体状に設けて、その傾斜面にペットのネームとシルエットを表した金属プレート１３を貼付け、
前記函状本体１の上に前記プランター２若しくは上置き蓋３の内の上置き蓋３を載置して、上置き蓋３を開閉および取付け取外し自在に載置して設けた、ペットメモリアルプランターＢである。【００２６】上記の通り、実施例２は、函状本体１にプランター２に代え上置き蓋３を載置したものであり、特に、取外し交換自在な上置き蓋は、ペットの写真、シルエット絵、レリーフ等をあしらったプレートを張付けるなどして、ペットの追悼に相応しい特徴あるデザインすることができのものを提供する。
上記の他の構成、外観、デザイン等は、実施例１と同様であるので、詳細な説明を省略する。
【実施例３】
【００２７】図１３は実施例の分解斜視図である。
符号、Ｃは実施例３のペットメモリアルプランターであり、他の符号は実施例と同じである。【００２８】実施例３は、函状本体１とプランター２を円筒形としたものであり、構成、外観、デザイン、その他、実施例１と同様につき、詳細な説明を省略する。
【産業上の利用可能性】
【００２９】本考案は、函状本体、プランター、上置き蓋からなり、それらの外形、色彩、模様等を自由にデザインし、ペットの写真、シルエット絵、レリーフ等をあしらったプレートを張付けるなどして、ペットの追悼に相応しい特徴がある極めてバリエーションに富んだペットメモリアルプランターを提供することができると共に、イクステリヤとして庭先などの屋外に設置するほか、インテリヤとして屋内でも使用可能であって汎用性に優れる。
【符号の説明】
【００３０】Ａ  実施例１のペットメモリアルプランター
Ｂ  実施例２のペットメモリアルプランター
Ｃ  実施例３のペットメモリアルプランター
１  函状本体
２  プランター
３  上置き蓋
４  排水兼通気孔（函状本体１）
５  空間（函状本体１）
６  遺骨収納容器例えば骨壷６
７  ピン
８  ピン孔（函状本体１）
９  排水兼通気孔（プランター２）
１０  空間（プランター２）
１１  ピン孔（プランター２）
１２  花等の植栽
１３  プレート
【図１】
0003193921.tif 000003
【図２】
0003193921.tif 000004
【図３】
0003193921.tif 000005
【図４】
0003193921.tif 000006
【図５】
0003193921.tif 000007
【図６】
0003193921.tif 000008
【図７】
0003193921.tif 000009
【図８】
0003193921.tif 000010
【図９】
0003193921.tif 000011
【図１０】
0003193921.tif 000012
【図１１】
0003193921.tif 000013
【図１２】
0003193921.tif 000014
【図１３】
0003193921.tif 000015
【手続補正書】
【提出日】平成26年8月8日(2014.8.8)
【手続補正１】
【補正対象書類名】実用新案登録請求の範囲
【補正対象項目名】全文
【補正方法】変更
【補正の内容】
【実用新案登録請求の範囲】
【請求項１】
ペットの遺骨収納容器、土壌、砂、砂利、副葬品を選択的に収納する函状本体とプランターと上置き蓋からなり、函状本体はペットの遺骨収納容器、土、砂、砂利、副葬品を選択的に収納する空間を設けたものであり、プランターは植栽用の土もしくは鉢植えを収納する空間を設けたものであり、上置き蓋は平面状若しくは立体状に設けた函状本体の装飾蓋であって、前記函状本体上に前記プランター若しくは前記上置き蓋を取付け取外し自在に載置して備えたことを特徴とする、ペットメモリアルプランター。
【請求項２】
函状本体およびプランターは、方形、長方形、多角形、円筒形、楕円筒形で、内部空間を上面開口に設けたものである、請求項１のペットメモリアルプランター。
【請求項３】
函状本体、プランター、上置き蓋の素材は、ガラス繊維強化プラスチック、ＧＲＣ、セラミック、プラスチック、木材、天然石、人工大理石、若しくは金属である、請求項１のペットメモリアルプランター。
【請求項４】
函状本体、プランター、上置き蓋は適宜の色彩、絵柄、模様、レリーフでデザインし、若しくは、周面に適宜のプレート、シールを貼付けたものである、請求項１のペットメモリアルプランター。
【手続補正２】
【補正対象書類名】明細書
【補正対象項目名】全文
【補正方法】変更
【補正の内容】
【考案の詳細な説明】
【技術分野】
【０００１】本考案は、深く愛しんできたペット、主として犬、猫の死亡に際して、ペットを追慕し、哀悼し、追悼するための用具であり、ペットの遺骨を収納する函状本体と草花を植栽するプランターとメモリアルプレート等でデザインした上置き蓋からなる、ペットメモリアルプランターを提供するものである。
【背景技術】
【０００２】家族、子供、孫等と同様いつも身近にいて愛しみ暮らしてきたペットの死に遭遇することは、避け難いこととはいえ、深い悲しみや、喪失感にとらわれるものである。
そこで、近時は、飼い主等の前記の想いを少しでも慰め癒すと共に、ペットに対する追慕・哀悼・追悼の想いを表すことを目的として、人と同じように葬儀を行い、お墓をつくり、あるいは、在りし日のペットを偲ぶことが出来るモニュメント仕様の位牌、写真、記念品等がいろいろと提供されている。【０００３】そのなかで、火葬にしたペットのお骨の取り扱いがなかなか難しく、普通はペット用仏具として提供されている骨壷のような容器に入れ、その容器を別の装飾的な容器に入れて室内に置くとか、庭先や木の根元などに埋めるとか、あるいは郊外の山中や海に埋めたり散骨したりするとか、いろいろと行われているが、現在の住宅事情、特にマンションや狭小住宅では庭もないため、本来の土に還す供養は困難であるなど、今一つ有効な追悼手段が提供されていない課題があった。
【先行技術文献】
【特許文献】
【０００４】
【特許文献１】特開２０１２−１１５６６３号公報
【特許文献２】特願２００２−２２４１７８号公報
【登録実用新案文献１】
実登第３１８２７１１号公報
【登録実用新案文献２】
実登第３１５６６８４号公報
【考案の概要】
【考案が解決しようとする課題】
【０００５】そこで、本考案は、上記のような課題を有効に解決する手段として、ペットのお骨を函状本体に納めると共に、人の葬祭における花壇（はなだん）のように草花を植え花で飾ることが出来るプランター、若しくは種々のモニュメント的なデザインを施した上置き蓋棟で構成した、ペットメモリアルプランターを提供して課題を解決せんとするものであり、該ペットメモリアルプランターの素材、デザイン、色彩等を選んで、イクステリヤとして庭先などの屋外に設置するほか、インテリヤとして屋内でも使用可能としたものである。
【課題を解決するための手段】
【０００６】請求項１の考案は、ペットの遺骨収納容器、土壌、砂、砂利、副葬品を選択的に収納する函状本体とプランターと上置き蓋からなり、函状本体はペットの遺骨収納容器、土、砂、砂利、副葬品を選択的に収納する空間を設けたものであり、プランターは植栽用の土もしくは鉢植えを収納する空間を設けたものであり、上置き蓋は平面状若しくは立体状に設けた函状本体の装飾蓋であって、前記函状本体上に前記プランター若しくは前記上置き蓋を取付け取外し自在に載置して備えたことを特徴とする、ペットメモリアルプランターによって課題を解決したものである。【０００７】請求項２の考案は、函状本体およびプランターは、方形、長方形、多角形、円筒形、楕円筒形で、内部空間を上面開口に設けたものである、請求項１のペットメモリアルプランターによって課題を解決したものである。【０００８】請求項３の考案は、函状本体、プランター、上置き蓋の素材は、ガラス繊維強化プラスチック、ＧＲＣ、セラミック、プラスチック、木材、天然石、人工大理石、若しくは金属である、請求項１のペットメモリアルプランターによって課題を解決したものである。【０００９】請求項４の考案は、函状本体、プランター、上置き蓋は適宜の色彩、絵柄、模様、レリーフでデザインし、若しくは、周面に適宜のプレート、シールを貼付けたものである、請求項１のペットメモリアルプランターによって課題を解決したものである。
【考案の効果】
【００１０】ペットのお骨を納めると共に、人の葬祭における花壇（はなだん）のように草花を植え花で飾ることが出来るプランター、若しくは種々のモニュメント的なデザインを施した上置き蓋で構成したペットメモリアルプランターを提供して課題を解決せんとするものであり、該ペットメモリアルプランターの素材、デザイン、色彩等を選んで、イクステリヤとして庭先などの屋外に設置するほか、インテリヤとして屋内でも使用可能とした優れた効果がある。【００１１】近時、ペット主として犬、猫のお骨の処置について、自然に還る、土に還る、土に戻す等、所謂自然葬を考えることが普及しつつあることから、遺骨収納容器例えば骨壷として、函状本体内に入れた土壌中おいて、経年で溶解・崩壊する紙製、プラスチック製その他の素材を使用することによって、経年後に、土として、庭先、山野、海中などに戻すことができる効果がある。【００１２】函状本体の中には、遺骨収納容器例えば骨壷を納め、土壌中に埋葬するほか、土壌に換えて綺麗な砂、砂利等を入れ、或は生前のペットに関連した種々の品を納めて、極めて多様な使用目的に対応できる利点があり、
また、排水兼通気孔を設けることによって、土壌、砂、砂利等の排水を良くして腐敗を防ぎ、或は収納品の換気を良くすることができる効果がある。【００１３】プランターの空間内には、植栽用の土壌を入れて種々の草花を植えることができる他、草花の鉢植え（植木鉢）をそのまま収納することもできる利点があり、また、排水兼通気孔は土壌、砂、砂利等の排水を良くして腐敗を防ぐことができる効果がある。【００１４】函状本体、プランター及び上置き蓋は、外形、色彩、模様等を自由にデザインし、特に、取外し交換自在な上置き蓋は、ペットの写真、シルエット絵、レリーフ等をあしらったプレートを張付けるなどして、ペットの追悼に相応しい特徴あるデザインのペットメモリアルプランターを提供することができる。
【図面の簡単な説明】
【００１５】
【図１】実施例１の正面図である。
【図２】実施例１の背面図である。
【図３】実施例１の平面図である。
【図４】実施例１の底面図である。
【図５】実施例１の右側面図である。
【図６】図１のＸ−Ｘ線断面矢視図である。
【図７】実施例１の分解斜視図である。
【図８】実施例２の正面図である。
【図９】実施例２の平面図である。
【図１０】実施例２の右側面図である。
【図１１】図８のＹ−Ｙ線断面矢視図である。
【図１２】実施例２の分解斜視図である。
【図１３】実施例３の分解斜視図である。
【考案を実施するための形態】
【００１６】函状本体１はペットの遺骨収納容器６、土、砂、砂利、副葬品を選択的に収納する空間５を設けたものであり、プランター２は植栽用の土もしくは鉢植えを収納する空間１０を設けたものであり、上置き蓋３は平面状若しくは立体状に設けた函状本体１の装飾蓋であって、前記函状本体１上に前記プランター２若しくは前記上置き蓋３を取付け取外し自在に載置してペットメモリアルプランターＡを備えて実現した。
【実施例１】
【００１７】図１は本考案の実施例１の正面図、図２は背面図、図３は平面図、図４は底面図、図５は右側面図、図６は図１のＸ−Ｘ線断面矢視図、図７は実施例１の分解斜視図である。【００１８】符号、Ａは実施例１のペットメモリアルプランター、１は函状本体、２はプランター、４は排水兼通気孔（函状本体１）、５は空間（函状本体１）、６は遺骨収納容器例えば骨壷、７はピン、８はピン孔（函状本体１）、９は排水兼通気孔（プランター２）、１０は空間（プランター２）、１１はピン孔（プランター２）、１２は花等の植栽、１３はプレートである。【００１９】本考案は、上記のように、函状本体はペットの遺骨収納容器、土、砂、砂利、副葬品の全部もしくは一部を収納する空間を設けたものであり、プランターは植栽用の土もしくは草花の鉢植え（植木鉢）をそのまま収納する空間を設けたものであって、函状本体にプランター若しくは上置き蓋を取付け取外し自在に載置して設けたペットメモリアルプランターであって、
実施例１は、方形上明きの函状本体１の底部に排水兼通気孔４をあけ、空間５内に、土、砂、砂利等を入れると共に、その中にペットの遺骨収納容器として例えば骨壷６を埋設し、必要に応じて、プランター２若しくは上置き蓋３を連結するピン７のピン孔８をあけると共に、同じく方形上明きのプランター２の底部に排水兼通気孔９をあけ、空間１０内に、植栽用の土を入れて草花を植え、もしくは鉢植えをそのまま収納するようにし、必要に応じて、プランター２を連結するピン７のピン孔１１をあけて備え、前記函状本体１の上に前記プランター２若しくは上置き蓋３の内のプランター２を載置して、前記ピン孔８、１０にピン７を挿通して、両者１、２を取付け取外し自在に一体化して設けた、ペットメモリアルプランターＡである。【００２０】なお、近時、ペット主として犬、猫のお骨の処置について、自然に還る、土に還る、土に戻す等、所謂自然葬を考えることが普及しつつあることから、遺骨収納容器（例えば骨壷）として、例えば、函状本体内に入れた土壌中おいて、経年で溶解・崩壊する紙製、プラスチック製その他の素材を使用し、経年後に、土として、庭先、山野、海中などに戻すように設ける。【００２１】函状本体の中には、遺骨収納容器例えば骨壷を納め、土壌中に埋葬するほか、土壌に換えて綺麗な砂、砂利等を入れ、或は生前のペットに関連した種々の品を納める。
また、排水兼通気孔４を設けることによって、土壌、砂、砂利等の排水を良くして腐敗を防ぎ、或は収納品の換気を良くする。【００２２】プランターの空間内には、植栽用の土壌を入れて種々の草花１２を植え、若しくは、草花の鉢植えをそのまま収納するようにし、また、排水兼通気孔は土壌、砂、砂利等の排水を良くして腐敗を防ぐ。【００２３】函状本体、プランターは、外形、色彩、模様等を自由にデザインし、ペットの写真、シルエット絵、レリーフ等をあしらったプレートを張付けるなどして、ペットの追悼に相応しい特徴あるペットメモリアルプランターを提供する。
【実施例２】
【００２４】図８は実施例２の正面図、図９は平面図、図１０は右側面図、図１１は図８のＹ−Ｙ線断面矢視図、図１２は実施例２の分解斜視図である。
符号、Ｂは実施例２のペットメモリアルプランター、３は上置き蓋、１３はプレートであり、他の符号は実施例１と同じである。【００２５】実施例２は、方形上明きの函状本体１の底面に排水兼通気孔４をあけ、空間５内に、土、砂、砂利等を入れると共に、その中にペットの遺骨収納容器６として例えば骨壷を埋設し、上置き蓋３は傾斜した上面の立体状に設けて、その傾斜面にペットのネームとシルエットを表した金属プレート１３を貼付け、
前記函状本体１の上に前記プランター２若しくは上置き蓋３の内の上置き蓋３を載置して、上置き蓋３を開閉および取付け取外し自在に載置して設けた、ペットメモリアルプランターＢである。【００２６】上記の通り、実施例２は、函状本体１にプランター２に代え上置き蓋３を載置したものであり、特に、取外し交換自在な上置き蓋は、ペットの写真、シルエット絵、レリーフ等をあしらったプレートを張付けるなどして、ペットの追悼に相応しい特徴あるデザインすることができのものを提供する。
上記の他の構成、外観、デザイン等は、実施例１と同様であるので、詳細な説明を省略する。
【実施例３】
【００２７】図１３は実施例の分解斜視図である。
符号、Ｃは実施例３のペットメモリアルプランターであり、他の符号は実施例と同じである。【００２８】実施例３は、函状本体１とプランター２を円筒形としたものであり、構成、外観、デザイン、その他、実施例１と同様につき、詳細な説明を省略する。
【産業上の利用可能性】
【００２９】本考案は、函状本体、プランター、上置き蓋からなり、それらの外形、色彩、模様等を自由にデザインし、ペットの写真、シルエット絵、レリーフ等をあしらったプレートを張付けるなどして、ペットの追悼に相応しい特徴がある極めてバリエーションに富んだペットメモリアルプランターを提供することができると共に、イクステリヤとして庭先などの屋外に設置するほか、インテリヤとして屋内でも使用可能であって汎用性に優れる。
【符号の説明】
【００３０】Ａ  実施例１のペットメモリアルプランター
Ｂ  実施例２のペットメモリアルプランター
Ｃ  実施例３のペットメモリアルプランター
１  函状本体
２  プランター
３  上置き蓋
４  排水兼通気孔（函状本体１）
５  空間（函状本体１）
６  遺骨収納容器例えば骨壷６
７  ピン
８  ピン孔（函状本体１）
９  排水兼通気孔（プランター２）
１０  空間（プランター２）
１１  ピン孔（プランター２）
１２  花等の植栽
１３  プレート